(57)【要約】【課題】空気調和機において、室内機で放電すべき残留電圧を速やかに下げる。【解決手段】電力制御装置（１０１）は、エアコン（１００）の運転時に、外部の電源から室内機（１）への電力供給の遮断が検知されると、室内機（１）から室外機（２）への電力供給を停止させる電力供給停止回路（３０）を含む。【選択図】図１
2017223409.tif 000002
【特許請求の範囲】
【請求項１】
外部の電源から電力が供給される室内機と、運転時に当該室内機から電力が供給される室外機とを備えた空気調和機の電力制御装置であって、
上記空気調和機の運転時に、上記電源から上記室内機への電力供給の遮断が検知されると、上記室内機から上記室外機への電力供給を停止させる電力供給停止回路を含むことを特徴とする電力制御装置。
【請求項２】
上記電力供給停止回路は、
上記電源に接続されている電源接続部に接続され、当該電源から供給された電力を蓄積するコンデンサを含み、
上記コンデンサに印加される電圧である検知電圧が、予め設定した所定の電圧を超えたときに上記室内機から上記室外機への電力供給を停止させる停止信号を出力することを特徴とする請求項１に記載の電力制御装置。
【請求項３】
上記電力供給停止回路は、
上記検知電圧と上記所定の電圧とを比較するコンパレータを備え、
上記検知電圧が上記所定の電圧を超えたときに、上記コンパレータから出力される信号を、上記停止信号として出力することを特徴とする請求項２に記載の電力制御装置。
【請求項４】
上記電力供給停止回路は、
上記検知電圧が、上記所定の電圧を超えたか否かを判定する電圧判定部と、
上記電圧判定部によって、上記検知電圧が、上記所定の電圧を超えたと判定されたとき、上記停止信号を生成する信号生成部と、を含む制御回路を備えていることを特徴とする請求項２に記載の電力制御装置。
【請求項５】
上記電力を室外機に供給するための電源回路を備え、
上記電源回路は、
一次側と二次側とが絶縁状態であるトランスを備えていることを特徴とする請求項１〜４の何れか１項に記載の電力制御装置。
【請求項６】
上記電力を室外機に供給するための電源回路を備え、
上記電源回路は、
一次側と二次側とが非絶縁状態であるトランスを備えていることを特徴とする請求項１〜４の何れか１項に記載の電力制御装置。
【発明の詳細な説明】
【技術分野】
【０００１】
本発明は、空気調和機の電力制御装置に関する。
【背景技術】
【０００２】
従来、空気調和機では、運転中に電源プラグを抜くと室内機のノイズ除去用コンデンサに溜まった電荷による残留電圧で、ユーザが感電する恐れがあるため、放電抵抗を付けている。このような残留電圧の低減対策として、例えば特許文献１には、交流電源からの電力供給の遮断を検知したときに、より低い抵抗値の抵抗素子に切り替えて、放電を速やかに行い、残留電圧を低くする技術が開示されている。
【先行技術文献】
【特許文献】
【０００３】
【特許文献１】特開２００６−２４６６６６号公報（２００６年９月１４日公開）
【発明の概要】
【発明が解決しようとする課題】
【０００４】
ところで、室内機と室外機とに分かれた空気調和機、所謂セパレート型の空気調和機では、室内機から室外機にも電力を供給しており、以下に述べる残留電圧も考慮する必要がある。通常、室内機から室外機への電力供給のＯＮ／ＯＦＦをするためにリレー（メインリレー）を搭載している。このリレーの作動制御は、室内機内のマイコン（マイクロコンピュータ）によって行われる。例えば、運転中に電源プラグを抜くと、室内機側のコンデンサが放電し、マイコンに供給される電圧が所定の値（例えば２．７Ｖ）以下になったときマイコンが停止し、遮断信号がリレーに送られ、リレーがＯＦＦになり室外機への電力供給が停止する。
【０００５】
ここで、電源プラグを抜いてからマイコンが停止するまでの時間（リレーへの遮断信号が出力されるまでの時間）は、電源回路内の平滑コンデンサの静電容量にも大きく左右される。平滑コンデンサは、室内機の各部材に供給する電圧を蓄積するためにある程度の静電容量が必要である。このため、電源プラグを抜いて、平滑コンデンサに蓄積された電圧（以降、蓄積電圧と称する）を放電して、マイコンに供給される電圧が上述の所定の値以下となるまでに時間がかかる。
【０００６】
従って、従来のセパレート型の空気調和機では、運転中に電源プラグを抜いても、しばらく室内機から室外機への電力供給が直ぐに遮断されずに、維持される。ここで、上述のように、空気調和機において、室内機側の回路にはノイズ除去用コンデンサが設けられている。このため、当該ノイズ除去用コンデンサに蓄積された電荷が放電されるまで、電源プラグの差し込み刃間には残留電圧が存在することとなる。
【０００７】
そして、空気調和機では、室外機側の回路にも、室内機側と同様に、ノイズ除去用コンデンサが設けられている。このため、上記リレーがＯＮの状態では、室外機側の残留電圧が室内機側に伝わっていく。
【０００８】
ところで、空気調和機等の電気製品においては、ユーザの安全を考慮して、残留電圧の基準値（基準電圧）が設定されていることが一般的である。ユーザが電源プラグを抜いた後に、高い残留電圧によってユーザが感電する危険を避けるためである。
【０００９】
具体的には、「電気用品安全法（以下、電安法と略称する）  省令第一項別表八」では、電気製品の運転中に、ピーク電圧が印加された状態でユーザが電源プラグを抜いた時点（電源から電気製品への電力供給が遮断された時点）から１秒後に、当該電源プラグの差し込み刃間の電圧（残留電圧）を、４５Ｖ（基準電圧）以下とすることが要求されている。
【００１０】
ところで、上記残留電圧を基準電圧以下までに低下させる時間は、できるだけ短いことが好ましい。本発明の目的は、室内機で放電すべき残留電圧を速やかに下げることができる空気調和機の電力制御装置を実現することにある。
【課題を解決するための手段】
【００１１】
上記の課題を解決するために、本発明の一態様に係る電力制御装置は、外部の電源から電力が供給される室内機と、運転時に当該室内機から電力が供給される室外機とを備えた空気調和機の電力制御装置であって、上記空気調和機の運転時に、上記電源から上記室内機への電力供給の遮断が検知されると、上記室内機から上記室外機への電力供給を停止させる電力供給停止回路を含む。
【発明の効果】
【００１２】
本発明の一態様に係る電力制御装置によれば、空気調和機において、室内機で放電すべき残留電圧を速やかに下げることが可能となるという効果を奏する。
【図面の簡単な説明】
【００１３】
【図１】本発明の実施形態１に係る電力制御装置のブロック図である。
【図２】上記電力制御装置を搭載したエアコンの概略構成図である。
【図３】本発明の実施形態２に係る電力制御装置のブロック図である。
【図４】本発明の実施形態３に係る電力制御装置のブロック図である。
【発明を実施するための形態】
【００１４】
〔実施形態１〕
以下、本発明の実施形態１について、図１および図２に基づいて詳細に説明する。
【００１５】
（エアコン１００）
はじめに、図２を参照し、本実施形態のエアコン１００（空気調和機，エアーコンディショナ）の概要について述べる。図２は、後述する電力制御装置１０１を搭載したエアコン１００の概略構成図である。
【００１６】
なお、図２では、簡単のために、エアコン１００の様々な部材のうち、本実施形態とは関係しない部材については図示が省略されている。図示が省略されている各部材は、公知のものと同様であると理解されてよい。
【００１７】
エアコン１００は、被空調空間（例えば室内）の気温、湿度、および空気清浄度等を調節する装置である。図２に示されるように、エアコン１００は、室内機１と室外機２とからなるセパレート型のエアコンである。なお、図２では、壁掛け型の室内機１が例示されているが、室内機１は天井内据え付け型であってもよいし、または床置き型であってもよい。
【００１８】
室内機１には、交流電力を入力するためのプラグ４が設けられている。プラグ４を室内のコンセント５に差し込むことにより、当該プラグ４を介して、室内機１の各部材（各電気部品）を駆動するための交流電力を、外部の電源（例えば商用電源）（不図示）から当該室内機１に供給することができる。
【００１９】
そして、室内機１は、配管３を介して、室外機２と接続されている。配管３の内部には、室内機１から室外機２に電力を供給するための配線（不図示）が設けられている。エアコン１００の運転時において、室外機２には、配管３内の配線を介して、室内機１から電力が供給される。これにより、室外機２の各部材（各電気部品）が駆動される。
【００２０】
（電力制御装置１０１）
続いて、図１を参照し、電力制御装置１０１の具体的な構成について述べる。図１は、電力制御装置１０１の要部の構成を示すブロック図である。なお、図１では、コンセント５（図２）に接続されたプラグ４を介して、室内機１（エアコン１００）に供給される交流電力の電圧をＥとして表す。なお、電圧Ｅの波形は、例えば実効値１００Ｖ、周波数６０Ｈｚの正弦波である。
【００２１】
電力制御装置１０１は、室内機１の内部に設けられた制御装置（制御回路）である。以下に述べるように、電力制御装置１０１は、室内機１および室外機２の各部材に供給される電力を制御（調整）する。また、電力制御装置１０１は、室内機１から室外機２への電力供給を停止する機能を有している。
【００２２】
電力制御装置１０１は、平滑回路１０（電源接続部）、電源回路２０、電力供給停止回路３０、メインリレー信号端子４０、ダイオード４８ａ・４８ｂ、およびメインリレー４９を備えている。以下、電力制御装置１０１の各部材について述べる。但し、本実施形態において、公知のものと同様である部分については、適宜説明を省略する。
【００２３】
なお、図１では、メインリレー４９に、１２Ｖの直流電圧（電源電圧）が供給されている場合が例示されている。
【００２４】
（平滑回路１０）
平滑回路１０は、端子Ｔ１およびＴ２を介してプラグ４に接続される。ここで、端子Ｔ１およびＴ２はそれぞれ、プラグ４の差し込み刃との接点である。プラグ４がコンセント５に差し込まれた場合に、平滑回路１０は外部の電源に接続される。この場合、端子Ｔ１−Ｔ２間には、上述の電圧Ｅが印加される。他方、プラグ４がコンセント５から抜かれた場合には、平滑回路１０は外部の電源から切り離される。この場合、端子Ｔ１−Ｔ２間は、開放状態となる。
【００２５】
なお、図１では、プラグ４がコンセント５に差し込まれている場合（換言すれば、プラグ４の差し込み刃間の電圧が、上述の電圧Ｅに等しい場合）が図示されている。但し、図１では、説明の便宜上、プラグ４がコンセント５から抜かれた場合の、当該プラグ４の差し込み刃間の電圧（残留電圧Ｖｒ）が、括弧書きで図示されている。
【００２６】
また、図１では、室外機２側の回路に設けられたノイズ除去用コンデンサ９２についても図示されている。このノイズ除去用コンデンサ９２は、室外機２側のノイズフィルタとして機能する。なお、上述のように、プラグ４がコンセント５から抜かれた場合、ノイズ除去用コンデンサ９２に蓄積された電荷が放電されるまで、プラグ４の差し込み刃間には残留電圧Ｖｒが存在することとなる。
【００２７】
平滑回路１０は、プラグ４がコンセント５に差し込まれた場合に、当該プラグ４を介して外部の電源から室内機１に供給される交流電力の電圧Ｅ（交流電圧）を整流および平滑化する回路である。平滑回路１０は、ダイオード１１、抵抗１２・１３、整流回路１４、平滑コンデンサ１５、抵抗１６・１７、およびノイズ除去用コンデンサ９１を備えている。
【００２８】
ダイオード１１は、電圧Ｅを整流して、抵抗１２・１３に印加するための素子である。また、抵抗１２・１３は、ダイオード１１によって整流された電圧Ｅを分圧するための素子である。ここで、抵抗１２と抵抗１３とが互いに接続されている節点（以下、節点Ｎと称する）における電圧をＶＮと表す。以降、この電圧ＶＮを、検知電圧とも称する。
【００２９】
そして、図１に示されるように、節点Ｎは、後述するコンパレータ３２の−入力端子（反転入力端子）と接続されている。このため、コンパレータ３２の−入力端子には、電圧ＶＮが印加される。
【００３０】
ノイズ除去用コンデンサ９１は、上述の室外機２側の回路に設けられたノイズ除去用コンデンサ９２と同様のものである。すなわち、ノイズ除去用コンデンサ９１は、室内機１側に設けられたノイズフィルタである。
【００３１】
整流回路１４は、電圧Ｅを整流する回路であり、例えばダイオードブリッジ（Diode Bridge，ＤＢ）によって構成されている。平滑コンデンサ１５は、整流回路１４によって整流された電圧Ｅを平滑化するための素子である。以下、平滑コンデンサ１５による平滑後の電圧（すなわち、平滑コンデンサＥｃの端子間電圧）を、電圧Ｅｃと称する。以降、この電圧Ｅｃを、蓄積電圧とも称する。
【００３２】
この蓄積電圧Ｅｃは、以下に述べる電源回路２０によって変換され、変換後の電圧が室内機１の各部材（不図示の部材である制御回路（後述の図３のマイコン４５。図１では不図示。）等も含む）に供給される。
【００３３】
また、抵抗１６・１７は、上記電圧Ｅｃを分圧するための素子である。ここで、抵抗１６と抵抗１７とが互いに接続されている節点（以下、節点Ｐと称する）における電圧をＶＰと表す。
【００３４】
そして、図１に示されるように、節点Ｐは、コンパレータ３２の＋入力端子（非反転入力端子）と接続されている。このため、コンパレータ３２の＋入力端子には、電圧ＶＰが印加される。
【００３５】
（電源回路２０）
電源回路２０は、平滑回路１０に接続されており、当該平滑回路１０から入力電圧として電圧Ｅｃが供給される。電源回路２０は、この電圧Ｅｃをさらに変換し、変換後の電圧を室内機１および室外機２の各部材に供給する回路である。電源回路２０は、ＳＷ（Switching，スイッチング）電源２１、トランス２２、ダイオード２６・２７、および平滑コンデンサ２８・２９を備えている。
【００３６】
トランス２２は、一次側（入力側）の巻線に入力された電圧を変換し、二次側（出力側）の巻線に出力させる変圧器である。トランス２２は、一次巻線２３ｐ・２４ｐおよび二次巻線２３ｓ・２４ｓを備えている。なお、二次巻線２３ｓは一次巻線２３ｐに、二次巻線２４ｓは一次巻線２４ｐにそれぞれ対応する。また、一次巻線２３ｐと一次巻線２４ｐとは、ＳＷ電源２１を介して、互いに接続されている。
【００３７】
なお、電力制御装置１０１では、トランス２２の一次側（一次巻線２３ｐ・２４ｐの側）と二次側（二次巻線２３ｓ・２４ｓの側）とでは、接地電位（ＧＮＤ電位）が共通化されていない。換言すれば、電力制御装置１０１の回路構成では、トランス２２の一次側と二次側とが電気的に接続されていない（絶縁されている）。以降、当該回路構成を、絶縁回路とも称する。
【００３８】
一次側（例：高圧側）から二次側（例：低圧側）への意図しない電圧信号の流入により、二次側の各部材が高電圧によって破損することをより確実に防止することが望ましい場合には、絶縁回路を採用することが好ましい。
【００３９】
ＳＷ電源２１は、自身に入力された電圧の波形（より具体的には、周波数、振幅、およびデューティ比等）を変換することが可能な電源である。ＳＷ電源２１の動作、および、一次巻線２３ｐ・２４ｐの分圧比を適宜設定することにより、二次巻線２３ｓ・２４ｓのそれぞれに、所望の大きさの二次電圧を発生させることができる。
【００４０】
そして、二次巻線２３ｓの電圧は、ダイオード２６および平滑コンデンサ２８を介して、電力制御装置１０１の外部へと出力される。ダイオード２６は、二次巻線２３ｓの電圧を整流するための素子である。また、平滑コンデンサ２８は、ダイオード２６によって整流された電圧を平滑化するための素子である。
【００４１】
同様に、二次巻線２４ｓの電圧は、ダイオード２７および平滑コンデンサ２９を介して、電力制御装置１０１の外部へと出力される。ダイオード２７は、二次巻線２４ｓの電圧を整流するための素子である。また、平滑コンデンサ２９は、ダイオード２７によって整流された電圧を平滑化するための素子である。
【００４２】
ここで、平滑コンデンサ２８および平滑コンデンサ２９の電圧（端子間電圧）を、電圧Ｖｃ１および電圧Ｖｃ２とそれぞれ称する。ダイオード２６・２７および平滑コンデンサ２８・２９が設けられることにより、電圧Ｖｃ１およびＶｃ２はそれぞれ、ほぼ定電圧となる。
【００４３】
それゆえ、電源回路２０は、室内機１の各部材に、所定の大きさの直流電圧Ｖｃ１またはＶｃ２の少なくともいずれかを供給することができる。換言すれば、電源回路２０は、外部（平滑回路１０、より具体的には外部の電源）から供給される電力を、室内機１の各部材に、分配して供給することができる。
【００４４】
（電力供給停止回路３０）
電力供給停止回路３０は、平滑回路１０に接続されている。電力供給停止回路３０は、検知用コンデンサ３１、コンパレータ３２、抵抗３３・３４・３６・３８、フォトカプラ３５、およびダイオード３７を備えている。
【００４５】
以下に述べるように、電力供給停止回路３０は、上述の電圧ＶＰおよび電圧ＶＮ（平滑回路１０内の各電圧）の大小比較の結果に基づいて、室内機１から室外機２への電力供給を停止できるように構成されている。
【００４６】
検知用コンデンサ３１は、１つの端子が接地されており、もう１つの端子が上述の節点Ｎ（換言すれば、コンパレータ３２の−入力端子）に接続されたコンデンサである。従って、検知用コンデンサ３１には、電圧ＶＮ（上述の検知電圧）が印加される。
【００４７】
なお、検知用コンデンサ３１は、プラグ４がコンセント５に差し込まれた場合に、平滑回路１０を介して外部の電源に接続され、当該外部の電源から供給された電力（より具体的には、電気エネルギーまたは電荷）を蓄積する素子であると理解されてもよい。
【００４８】
コンパレータ３２は、２入力１出力のオペアンプ（演算増幅器）であってよい。上述のように、コンパレータ３２の＋入力端子および−入力端子のそれぞれには、電圧ＶＰおよび電圧ＶＮが印加される。
【００４９】
そして、コンパレータ３２の出力側は、抵抗３３に接続されている。従って、抵抗３３には、コンパレータ３２の出力電圧Ｖｏｕｔ（出力信号，停止信号）が印加される。なお、抵抗３３は、フォトカプラ３５の一次側に流入する電流（換言すれば、メインリレー信号端子４０に流入する電流）を低減するための素子である。なお、フォトカプラ３５の一次側は、抵抗３４に並列に接続されている。フォトカプラ３５の一次側に流入する電流は、抵抗３４の値によっても調整可能である。
【００５０】
また、コンパレータ３２の出力電圧Ｖｏｕｔは、以下の式（１）、すなわち、
Ｖｏｕｔ＝Ｋ×（ＶＰ−ＶＮ）    …（１）
として表される。ここで、Ｋはコンパレータ３２（オペアンプ）の利得である。一般的に、Ｋは非常に大きい正の値である。
【００５１】
上述の式（１）によれば、ＶＰ＞ＶＮである場合には、Ｖｏｕｔ＞０である。他方、ＶＰ＜ＶＮである場合には、Ｖｏｕｔ＜０である。すなわち、出力電圧Ｖｏｕｔの極性によって、電圧ＶＰおよび電圧ＶＮの大小を比較することができる。つまり、コンパレータ３２は、電圧ＶＰおよび電圧ＶＮの大小を比較する比較回路としての機能を有する。
【００５２】
フォトカプラ３５は、電力制御装置１０１の一次側と二次側とを電気的に絶縁しつつ、当該一次側から二次側へ電気信号を伝達する素子である。なお、図１では、フォトカプラ３５において、一次側の発光素子（例：発光ダイオード）に１５Ｖの直流電圧（電源電圧）が、二次側の受光素子（例：フォトトランジスタ）に５Ｖの直流電圧（電源電圧）が、それぞれ供給されている場合が例示されている。
【００５３】
具体的には、フォトカプラ３５は、一次側の発光素子において、一次側に入力された電気信号（例えば電圧）を光信号に変換し、当該光信号を二次側に伝達する。そして、フォトカプラ３５は、二次側の受光素子において、上記光信号を電気信号に再変換し、再変換した当該電気信号を出力する。電力制御装置１０１が絶縁回路として構成される場合には、フォトカプラ３５が設けられることが好ましい。
【００５４】
そして、フォトカプラ３５の二次側から出力された電圧（電気信号）は、ダイオード３７および抵抗３８を介して、メインリレー信号端子４０に供給される。すなわち、フォトカプラ３５の二次側から出力された電圧は、整流および降圧され、メインリレー信号端子４０に供給される。なお、フォトカプラ３５の二次側は、接地抵抗である抵抗３６にも接続されている。
【００５５】
メインリレー信号端子４０は、エアコン１００の各部材の動作を統括的に制御する制御装置（例：後述の図３のマイコン４５。図１では不図示。）の信号端子である。メインリレー信号端子４０は、Ｖｏｕｔ＜０である場合（換言すれば、ＶＰ＜ＶＮである場合）に、ダイオード４８ａ・４８ｂを介して、メインリレー４９にリレー遮断信号を供給するように構成されている。このため、Ｖｏｕｔ＜０である場合には、メインリレー４９が遮断され、室内機１から室外機２への電力の供給が停止される。
【００５６】
（電力制御装置１０１の動作の具体例）
上述のように、電安法では、電気製品の運転中に、ピーク電圧が印加された状態でユーザが電源プラグを抜いた時点から１秒後に、残留電圧Ｖｒを、４５Ｖ（基準電圧）以下とすることが要求されている。
【００５７】
この点を踏まえ、エアコン１００の運転時においても、外部の電源から室内機１への電力供給の遮断が検知された後に、残留電圧Ｖｒを基準電圧（４５Ｖ）以下まで速やかに（１秒以内に）下げることが好ましい。
【００５８】
上記の点を踏まえ、本実施形態の電力制御装置１０１では、エアコン１００の運転時における、外部の電源から室内機１への電力供給の遮断を速やかに検知するために、電力供給停止回路３０が設けられている。より具体的には、検知用コンデンサ３１およびコンパレータ３２が設けられることにより、エアコン１００の運転時における、外部の電源から室内機１への電力の遮断を速やかに検知できる。
【００５９】
ここで、検知用コンデンサ３１は、静電容量が平滑コンデンサ１５に比べて十分に小さくなるように選定されている。例えば、平滑コンデンサ１５の静電容量が１００μＦである場合、検知用コンデンサ３１の静電容量は、１０μＦ（平滑コンデンサ１５の静電容量の１／１０）として選定されてよい。
【００６０】
このように、検知用コンデンサ３１の静電容量は、平滑コンデンサ１５の静電容量に比べて十分に小さいので、検知用コンデンサ３１に印加される電圧ＶＮ（検知電圧）が減少する時定数（以下、第２時定数）は、平滑コンデンサ１５に印加される電圧Ｅｃ（蓄積電圧）が減少する時定数（以下、第１時定数）に比べて十分に小さい。一例として、第１時定数が２秒程度である場合に、第２時定数を０．２秒程度（第１時定数の約１／１０）とすることができる。
【００６１】
このため、例えば、時間の経過に伴う出力電圧Ｖｏｕｔの推移を測定することで、外部の電源から室内機１への電力供給の遮断を検知できる。加えて、出力電圧Ｖｏｕｔを、室内機１から室外機２への電力供給を停止させる停止信号として利用することもできる。
【００６２】
例えば、電圧Ｖｏｕｔが所定の値よりも小さくなった場合に、メインリレー信号端子４０からメインリレー４９にリレー遮断信号が供給されるように、電力制御装置１０１を構成してもよい。
【００６３】
また、上述のように、電圧Ｖｏｕｔの極性が負である場合（検知電圧ＶＮが電圧ＶＰよりも大きい場合）に、メインリレー信号端子４０からメインリレー４９にリレー遮断信号が供給されるように、電力制御装置１０１を構成することもできる。また、電圧Ｖｏｕｔ自体を停止信号として利用してもよい。
【００６４】
（エアコン１００の効果）
上述のように、電力制御装置１０１は、空気調和機１００の運転時に、外部の電源から室内機１への電力の遮断を検知すると、室内機１から室外機２への電力の供給を停止させる。従って、室外機２側の残留電圧（上述の残留電圧Ｖｒ）が室内機１に伝わることを防止することができる。それゆえ、室内機１で放電すべき残留電圧が必要以上に大きくならないので、当該残留電圧を速やかに下げることができる。
【００６５】
なお、上述の電圧ＶＰの値は、エアコン１００が準拠すべき各種法令または規格に応じて、エアコン１００の設計者によって予め設定された所定の値であってよい。
【００６６】
また、本実施形態では、コンパレータ３２としてオペアンプを使用した場合を例示したが、コンパレータ３２の種類はこれに限定されない。コンパレータ３２は、電圧ＶＰと電圧ＶＮとの大小を比較し、かつ、（ｉ）ＶＰ＞ＶＮである場合と、（ｉｉ）ＶＰ＜ＶＮである場合とで、異なる出力電圧Ｖｏｕｔを出力できるものであればよい。ＶＰ＜ＶＮである場合の出力電圧Ｖｏｕｔを、上述の停止信号として利用できるためである。
【００６７】
〔実施形態２〕
以下、本発明の実施形態２について、図３に基づいて詳細に説明する。なお、説明の便宜上、上記実施形態にて説明した部材と同じ機能を有する部材については、同じ符号を付記し、その説明を省略する。
【００６８】
（電力制御装置１０３）
本実施形態のエアコン１００は、上述の実施形態１の電力制御装置１０１を、電力制御装置１０３に置き換えたものである。以下、図３を参照し、電力制御装置１０３の構成について述べる。図３は、電力制御装置１０３の要部の構成を示すブロック図である。
【００６９】
図３に示されるように、電力制御装置１０３では、上述の実施形態１の電力制御装置１０１における電力供給停止回路３０が、電力供給停止回路６０に置き換えられている。
【００７０】
また、電力制御装置１０３では、トランス２２の一次側と二次側とで、接地電位が共通化されている。換言すれば、電力制御装置１０３の回路構成では、トランス２２の一次側と二次側とが電気的に接続されている（非絶縁である）。以降、当該回路構成を、非絶縁回路とも称する。電力制御装置１０３は、非絶縁回路として構成されているという点において、電力制御装置１０１とは異なる。
【００７１】
電力制御装置１０３を非絶縁回路として構成することにより、フォトカプラ３５を省略することができる。さらに、フォトカプラ３５の周辺の素子についても省略することができる。このように、電力供給停止回路６０の構成を、実施形態１の電力供給停止回路３０に比べて簡単化することができる。
【００７２】
具体的には、電力供給停止回路６０は、検知用コンデンサ３１、コンパレータ３２、および抵抗３３を備えている。つまり、電力供給停止回路６０は、電力供給停止回路３０において、抵抗３４・３６・３８、フォトカプラ３５、およびダイオード３７を省略したものである。
【００７３】
本実施形態の電力制御装置１０３によっても、上述の電力制御装置１０１と同様に、室内機１で放電すべき残留電圧を速やかに下げることが可能となる。また、上述のように、電力供給停止回路６０の構成を、実施形態１の電力供給停止回路３０に比べて簡単化することができる。
【００７４】
〔実施形態３〕
以下、本発明の実施形態３について、図４に基づいて詳細に説明する。
【００７５】
（電力制御装置１０４）
本実施形態のエアコン１００は、上述の実施形態２の電力制御装置１０３を、電力制御装置１０４に置き換えたものである。以下、図４を参照し、電力制御装置１０４の構成について述べる。図４は、電力制御装置１０４の要部の構成を示すブロック図である。
【００７６】
図４に示されるように、電力制御装置１０４では、上述の実施形態２の電力制御装置１０３における電力供給停止回路６０が、電力供給停止回路５０に置き換えられている。
【００７７】
図４に示されるように、電力制御装置１０４においては、上述の電力制御装置１０３と同様に、トランス２２の一次側と二次側とで、接地電位が共通化されている。すなわち、電力制御装置１０４は、上述の電力制御装置１０３と同様に、非絶縁回路として構成されている。これにより、上述の電力供給停止回路６０と同様に、電力供給停止回路５０の構成を簡単化することができる。
【００７８】
電力供給停止回路５０は、検知用コンデンサ３１およびマイコン４５（制御回路，電圧判定部，信号生成部）を備えている。また、マイコン４５には、メインリレー信号端子４０が設けられている。このように、電力供給停止回路５０は、電力供給停止回路３０において、マイコン４５を付加するとともに、コンパレータ３２、抵抗３３・３４・３６・３８、フォトカプラ３５、およびダイオード３７を省略したものである。
【００７９】
電力制御装置１０４において、マイコン４５には、（ｉ）節点Ｎを介して検知電圧ＶＮが、（ｉｉ）節点Ｐを介して電圧ＶＰが、それぞれ入力される。なお、マイコン４５への検知電圧ＶＮおよび電圧ＶＰの入力は、マイコン４５の空き端子を用いて行われてよい。
【００８０】
そして、マイコン４５は、検知電圧ＶＮと電圧ＶＰとの大小を比較する演算を行う。すなわち、本実施形態のマイコン４５は、上述のコンパレータ３２（比較回路）と同様の、電圧判定部としての機能が付与されている。
【００８１】
なお、マイコン４５における検知電圧ＶＮと電圧ＶＰとの大小比較の演算を容易化するために、マイコン４５の内部において、検知電圧ＶＮおよび電圧ＶＰはそれぞれＡＤ（Analog-Digital）変換されてよい。
【００８２】
そして、マイコン４５は、検知電圧ＶＮと電圧ＶＰとの大小比較の結果に基づいて、出力電圧Ｖｍ（出力信号，停止信号）を生成し、当該出力電圧Ｖｍを、メインリレー信号端子４０から出力する。すなわち、マイコン４５は、出力電圧Ｖｍを生成する信号生成部としての機能がさらに付与されている。
【００８３】
例えば、マイコン４５は、検知電圧ＶＮが電圧ＶＰよりも大きい場合に、出力電圧Ｖｍが上述のリレー遮断信号として機能するように設定されてよい。このように、出力電圧Ｖｍもまた、室内機１から室外機２への電力供給を停止させる停止信号として利用することができる。
【００８４】
また、例えば、出力電圧Ｖｍを、検知電圧ＶＮと電圧ＶＰとの差に比例する量として設定しておけば（すなわち、出力電圧Ｖｍを、上述の式（１）の出力電圧Ｖｏｕｔと同様に設定しておけば）、時間の経過に伴う出力電圧Ｖｍの推移を測定することにより、外部の電源から室内機１への電力供給の遮断を検知することもできる。
【００８５】
このように、本実施形態の電力制御装置１０４によっても、上述の電力制御装置１０３と同様に、室内機１で放電すべき残留電圧を速やかに下げることが可能となる。つまり、コンパレータ３２に替えて、マイコン４５を用いることによっても、本発明の一態様に係る電力供給停止回路を実現することができる。
【００８６】
加えて、マイコン４５に比較回路の機能を併有させることにより、コンパレータ３２を省略できる。さらに、コンパレータ３２の周辺の素子（抵抗３３）を省略することもできる。それゆえ、電力供給停止回路５０の構成を、実施形態２の電力供給停止回路６０に比べてさらに簡単化することができる。
【００８７】
〔ソフトウェアによる実現例〕
エアコン１００の制御ブロック（特にマイコン４５）は、集積回路（ＩＣチップ）等に形成された論理回路（ハードウェア）によって実現してもよいし、ＣＰＵ（Central Processing Unit）を用いてソフトウェアによって実現してもよい。
【００８８】
後者の場合、マイコン４５は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８９】
〔まとめ〕
本発明の態様１に係る電力制御装置（１０１）は、外部の電源から電力が供給される室内機（１）と、運転時に当該室内機から電力が供給される室外機（２）とを備えた空気調和機（エアコン１００）の電力制御装置であって、上記空気調和機の運転時に、上記電源から上記室内機への電力供給の遮断が検知されると、上記室内機から上記室外機への電力供給を停止させる電力供給停止回路（３０）を含む。
【００９０】
上記の構成によれば、空気調和機の運転時に、外部の電源（例えば、商用電源）から室内機への電力の遮断が検知されると、電力供給停止回路は、室内機から室外機への電力の供給を停止させる。従って、室外機側の残留電圧（上述の図１の電圧Ｖｒ）が室内機に伝わることを防止することができる。それゆえ、室内機で放電すべき残留電圧が必要以上に大きくならないので、当該残留電圧を速やかに下げることが可能となるという効果を奏する。
【００９１】
本発明の態様２に係る電力制御装置は、上記態様１において、上記電力供給停止回路が、上記電源に接続されている電源接続部（平滑回路１０）に接続され、当該電源から供給された電力を蓄積するコンデンサ（検知用コンデンサ３１）を含み、上記コンデンサに印加される電圧である検知電圧（電圧ＶＮ）が、予め設定した所定の電圧（電圧ＶＰ）を超えたときに上記室内機から上記室外機への電力供給を停止させる停止信号（出力電圧Ｖｏｕｔ）を出力することが好ましい。
【００９２】
上記の構成によれば、外部の電源から室内機への電力供給の遮断が検知された状態で、検知電圧が所定の電圧を超えている場合にも、室内機から室外機への電力供給を停止させることができる。従って、室外機側の残留電圧が室内機に伝わる状態を速やかに解消することができるので、室内機で放電すべき残留電圧をより速やかに下げることが可能となるという効果を奏する。
【００９３】
本発明の態様３に係る電力制御装置は、上記態様２において、上記電力供給停止回路が、上記検知電圧と上記所定の電圧とを比較するコンパレータ（３２）を備え、上記検知電圧が上記所定の電圧を超えたときに、上記コンパレータから出力される信号（出力電圧Ｖｏｕｔ）を、上記停止信号として出力してよい。
【００９４】
上記の構成によれば、コンパレータから出力される信号を停止信号として利用することが可能となる。すなわち、コンパレータを用いて電力供給停止回路を実現することが可能となるという効果を奏する。
【００９５】
本発明の態様４に係る電力制御装置は、上記態様２において、上記電力供給停止回路が、上記検知電圧が、上記所定の電圧を超えたか否かを判定する電圧判定部（マイコン４５）と、上記電圧判定部によって、上記検知電圧が、上記所定の電圧を超えたと判定されたとき、上記停止信号（出力信号Ｖｍ）を生成する信号生成部（マイコン４５）と、を含む制御回路（マイコン４５）を備えていてよい。
【００９６】
上記の構成によれば、コンパレータに替えて、制御回路（例：マイコン）を用いることによっても、電力供給停止回路を実現することができる。このため、電力供給停止回路から、コンパレータおよびその周辺の素子を省略することができる。それゆえ、電力供給停止回路の構成を、簡単化することができるという効果を奏する。
【００９７】
本発明の態様５に係る電力制御装置は、上記態様１から４の何れか１つにおいて、上記電力を室外機に供給するための電源回路（２０）を備え、上記電源回路は、一次側と二次側とが絶縁状態であるトランス（２２）を備えていてよい。
【００９８】
上記の構成によれば、電源回路の一次側と二次側とを絶縁状態としつつ、当該一次側から二次側へと電力を供給することが可能となるという効果を奏する。また、二次側（例：低圧側）が一次側（例：高圧側）から絶縁されているため、二次側の各部材（電気部品）が高電圧によって破損することをより確実に防止することができる。
【００９９】
本発明の態様６に係る電力制御装置は、上記態様１から４の何れか１つにおいて、上記電力を室外機に供給するための電源回路を備え、上記電源回路は、一次側と二次側とが非絶縁状態であるトランスを備えていてよい。
【０１００】
上記の構成によれば、電源回路の一次側と二次側とを非絶縁状態としつつ、当該一次側から二次側へと電力を供給することが可能となるという効果を奏する。なお、電源回路の一次側と二次側とを非絶縁状態とした場合には、コンパレータを用いて電力供給停止回路を実現する場合にも、電力供給停止回路においてフォトカプラおよびその周辺の素子を省略できる。このため、電力供給停止回路の構成が簡単となる。
【０１０１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０２】
１  室内機
２  室外機
１０  平滑回路（電源接続部）
２０  電源回路
２２  トランス
３０，５０，６０  電力供給停止回路
３１  検知用コンデンサ（コンデンサ）
３２  コンパレータ
４５  マイコン（制御回路，電圧判定部，信号生成部）
１００  エアコン（空気調和機）
１０１，１０３，１０４  電力制御装置
ＶＰ  電圧（所定の電圧）
ＶＮ  電圧，検知電圧
Ｖｒ  電圧，残留電圧
Ｖｏｕｔ  出力電圧（停止信号）
Ｖｍ  出力電圧（停止信号）
【図１】
2017223409.tif 000003
【図２】
2017223409.tif 000004
【図３】
2017223409.tif 000005
【図４】
2017223409.tif 000006